(57)【要約】【課題】  振動や外力等に起因する破損を起こり難くして、カバー脱落防止を図ったバッテリーターミナル用絶縁カバーを提供する。【解決手段】  バッテリーターミナル用絶縁カバーは、バッテリーのバッテリーポストに巻着するバッテリーターミナルとそのバッテリーターミナルに接続された一又は複数の接続端子とを覆う絶縁カバー本体１５と、接続端子を設けた電線１２に固定される電線取付部１６と、絶縁カバー本体１５と電線取付部１６とを連結する可撓性の可撓連結部１７と、を備え、さらに可撓連結部１７を、絶縁カバー本体１５に連成される第一連結板２１と、電線取付部１６に連成されるとともに第一連結板２１に対して略直交する位置関係となる第二連結板２２と、第一連結板２１と第二連結板２２とを繋ぐ第三連結板２３と、を有する三次元的な構造にする。【選択図】    図１
2006040799.tif 000002
【特許請求の範囲】
【請求項１】
バッテリーのバッテリーポストに巻着するバッテリーターミナルと該バッテリーターミナルに接続された一又は複数の接続端子とを覆う絶縁カバー本体と、前記接続端子を設けた電線に固定される電線取付部と、前記絶縁カバー本体と前記電線取付部とを連結する可撓性の可撓連結部と、を備え、さらに前記可撓連結部を、前記絶縁カバー本体に連成される第一連結板と、前記電線取付部に連成されるとともに前記第一連結板に対して略直交する位置関係となる第二連結板と、前記第一連結板と前記第二連結板とを繋ぐ第三連結板と、を有する三次元的な構造にする
ことを特徴とするバッテリーターミナル用絶縁カバー。
【請求項２】
請求項１に記載のバッテリーターミナル用絶縁カバーにおいて、
前記第一連結板と前記第二連結板と前記第三連結板を上下方向に間隔をあけて形成する
ことを特徴とするバッテリーターミナル用絶縁カバー。
【請求項３】
請求項１又は請求項２に記載のバッテリーターミナル用絶縁カバーにおいて、
前記第一連結板と前記第二連結板と前記第三連結板を円弧状に連結する
ことを特徴とするバッテリーターミナル用絶縁カバー。
【発明の詳細な説明】
【技術分野】
【０００１】
本発明は、バッテリーターミナルを覆うために設けられるバッテリーターミナル用絶縁カバーに関する。
【背景技術】
【０００２】
バッテリーの電力を供給するために、バッテリーのバッテリーポストには、図３に示されるような、導電性を有するバッテリーターミナル１が取り付けられている。バッテリーターミナル１には、給電用の電線２が接続端子３を介して接続されている。絶縁カバー４は、バッテリーターミナル１とそのバッテリーターミナル１に接続された接続端子３とを覆って短絡を防止することができるように形成されている（例えば特許文献１参照）。
【０００３】
図３に示される絶縁カバー４は、上部カバー５と側部カバー６とを有しており、上部カバー５が開閉自在となるように形成されている。側部カバー６には、電線２に寄り添わせてテープ巻きをするための電線取付部７が設けられている。電線取付部７は、湾曲する帯板状に形成されている。電線取付部７は、絶縁カバー４の脱落を防止するために設けられている。
【特許文献１】特開２００１−３３２２４２号公報  （第３頁、第１図）
【発明の開示】
【発明が解決しようとする課題】
【０００４】
ところで、上記従来技術にあっては、電線２に振動や外力等が加わると、電線２に一体化されている電線取付部７が側部カバー６との連続部分で破損してしまうという恐れがある。電線取付部７が破損した場合には、絶縁カバー４の脱落が起こり易くなり、短絡を防止する機能が低下してしまうことになる。
【０００５】
電線取付部７を薄肉にすれば、電線取付部７に柔軟性が付加されて、図３中の矢線Ｐ方向の力に対処することが可能であるが、矢線Ｑ方向の力の場合には、薄肉といえども電線取付部７の破損可能性が十分にある。
【０００６】
本発明は、上述した事情に鑑みてなされたもので、振動や外力等に起因する破損を起こり難くして、カバー脱落防止を図ったバッテリーターミナル用絶縁カバーを提供することを課題とする。
【課題を解決するための手段】
【０００７】
上記課題を解決するためになされた請求項１記載の本発明のバッテリーターミナル用絶縁カバーは、バッテリーのバッテリーポストに巻着するバッテリーターミナルと該バッテリーターミナルに接続された一又は複数の接続端子とを覆う絶縁カバー本体と、前記接続端子を設けた電線に固定される電線取付部と、前記絶縁カバー本体と前記電線取付部とを連結する可撓性の可撓連結部と、を備え、さらに前記可撓連結部を、前記絶縁カバー本体に連成される第一連結板と、前記電線取付部に連成されるとともに前記第一連結板に対して略直交する位置関係となる第二連結板と、前記第一連結板と前記第二連結板とを繋ぐ第三連結板と、を有する三次元的な構造にすることを特徴としている。このような特徴を有する本発明によれば、可撓性のある可撓連結部が各方向の力を吸収して破損を防止する。
【０００８】
請求項２記載の本発明のバッテリーターミナル用絶縁カバーは、請求項１に記載のバッテリーターミナル用絶縁カバーにおいて、前記第一連結板と前記第二連結板と前記第三連結板を上下方向に間隔をあけて形成することを特徴としている。このような特徴を有する本発明によれば、各方向の力の吸収を効率良く行って、より一層確実に破損を防止する。
【０００９】
請求項３記載の本発明のバッテリーターミナル用絶縁カバーは、請求項１又は請求項２に記載のバッテリーターミナル用絶縁カバーにおいて、前記第一連結板と前記第二連結板と前記第三連結板を円弧状に連結することを特徴としている。このような特徴を有する本発明によれば、エッジ部分を無くして、より一層確実に破損を防止する。
【発明の効果】
【００１０】
請求項１に記載された本発明によれば、可撓連結部の構造によって振動や外力等に起因した破損を起こり難くすることができるという効果を奏する。そして、これによりカバー脱落を防止することができるという効果を奏する。また、請求項２、３に記載された本発明によれば、より一層確実に破損を起こり難くすることができるという効果を奏する。
【発明を実施するための最良の形態】
【００１１】
以下、図面を参照しながら説明する。図１は本発明のバッテリーターミナル用絶縁カバーの一実施の形態を示す斜視図である。また、図２は図１のＡ視方向から見た本発明のバッテリーターミナル用絶縁カバーの斜視図である。
【００１２】
図１及び図２において、引用符号１１は本発明のバッテリーターミナル用絶縁カバー（以下、絶縁カバーと略記する）を示している。絶縁カバー１１は、絶縁性を有する合成樹脂材料の射出成形により形成されている。絶縁カバー１１は、バッテリーターミナル（図示省略）とそのバッテリーターミナルに接続された接続端子（図示省略）とを覆って短絡を防止することができるように形成されている。引用符号１２〜１４は絶縁カバー１１から引き出される給電用の電線を示している。
【００１３】
絶縁カバー１１は、バッテリーターミナル（図示省略）と接続端子（図示省略）とを覆う（他には電流センサを含んで覆う場合がある）絶縁カバー本体１５と、接続端子（図示省略）を設けた電線１２に取り付けられる電線取付部１６と、絶縁カバー本体１５と電線取付部１６とを連結する可撓性の可撓連結部１７と、を備えて構成されている。
【００１４】
絶縁カバー本体１５は、天井壁１８と周側壁１９とを有する箱形形状に形成されている。周側壁１９には、電線１２〜１４を引き出すための電線引き出し口２０が複数形成されている。電線１２が引き出される電線引き出し口２０の縁部（一例であり、この限りでないものとする）には、電線取付部１６を連成した可撓連結部１７の一端が一体に形成されている。
【００１５】
可撓連結部１７は、絶縁カバー本体１５に連成される第一連結板２１と、電線取付部１６に連成され第一連結板２１に対して略直交する位置関係となる第二連結板２２と、第一連結板２１と第二連結板２２とを繋ぐ第三連結板２３と、を有している。本形態において、第一連結板２１及び第二連結板２２は、帯板形状に形成されている。また、第三連結板２３は湾曲形状に形成されている。可撓連結部１７は、図１の場合、略Ｓ字状に見える三次元的な形状に形成されている。可撓連結部１７は、三次元的な形状であることから各方向に撓み易くなっている。
【００１６】
もう少し詳しく説明すると、可撓連結部１７は、第一連結板２１と第二連結板２２と第三連結板２３とが上下方向に間隔をあけており、電線１２の周囲に三次元的に配置されていることから、電線１２の動きに追従しやすい構造となっている。また、可撓連結部１７は、第一連結板２１と第二連結板２２と第三連結板２３とが円弧状に連結していることから、エッジ部分が無く破損し難い構造となっている（本形態においては、可撓連結部１７と絶縁カバー本体１５との連結部分、及び可撓連結部１７と電線取付部１６との連結部分にＲ（アール）を設けてエッジ部分を無くし、より一層破損し難くい構造としている）。
【００１７】
上記構成において、可撓連結部１７は、電線１２の振れや外力等により生じる各方向の力を、第一連結板２１や第二連結板２２や第三連結板２３の撓みによって吸収することができる。従って、従来の問題点として挙げられた破損を防止することができる。本発明によれば、破損の防止を図ることができることから、絶縁カバー１１の脱落も防止することができる。
【００１８】
その他、本発明は本発明の主旨を変えない範囲で種々変更実施可能なことは勿論である。
【図面の簡単な説明】
【００１９】
【図１】本発明のバッテリーターミナル用絶縁カバーの一実施の形態を示す斜視図である。
【図２】図１のＡ視方向から見た本発明のバッテリーターミナル用絶縁カバーの斜視図である。
【図３】従来例のバッテリーターミナルと絶縁カバーの斜視図である。
【符号の説明】
【００２０】
１１  バッテリーターミナル用絶縁カバー（絶縁カバー）
１２〜１４  電線
１５  絶縁カバー本体
１６  電線取付部
１７  可撓連結部
１８  天井壁
１９  周側壁
２０  電線引き出し口
２１  第一連結板
２２  第二連結板
２３  第三連結板
【図１】
2006040799.tif 000003
【図２】
2006040799.tif 000004
【図３】
2006040799.tif 000005